(57)【特許請求の範囲】
【請求項１】
二次電池を電源として用いることが可能な携帯端末装置であって、
動作制御の指示に基づいて前記携帯端末装置の動作を制御する演算処理部と、
外部電源から前記二次電池に電源を供給する充電回路と、
前記演算処理部における所定の処理の休止状態に応じて前記充電回路を制御する充電制御回路と、を備え、
前記充電制御回路は、前記演算処理部が前記所定の処理を第１の所定時間以上行っていないときは前記二次電池の充電電圧を第一の電圧に、前記所定の処理を行っている間又は前記所定の処理を行ってから第２の所定時間が経過していないときは前記二次電池の充電電圧を前記第一の電圧より低い第二の電圧に制御する携帯端末装置。
【請求項２】
請求項１に記載の携帯端末装置であって、
前記第二の電圧は、前記二次電池に充電される電気容量が予め定められた条件を満たす電圧である携帯端末装置。
【発明の詳細な説明】
【技術分野】
【０００１】
本発明は、二次電池を電源として用いることが可能な携帯端末装置に関する。
【背景技術】
【０００２】
携帯端末装置には、通常、その電源を確保するために二次電池が用いられる。そして、その二次電池への充電効率等を鑑みて、種々の二次電池への充電方法が提案されている。
【０００３】
例えば、特許文献１には、充電装置に温度判定手段を設けて、パルス充電のデューティー比や電流値を温度補正することにより、充電効率を上げることが可能な充電装置が記載されている。また、特許文献２には、携帯電話機が通話の状態になると、電池への電源供給を停止して充電器に過大な電流が流れることを防止して、急速充電を行う充電システムが記載されている。
【先行技術文献】
【特許文献】
【０００４】
【特許文献１】特開平８−１８２２１５号公報
【特許文献２】特開平９−１３０４５６号公報
【発明の概要】
【発明が解決しようとする課題】
【０００５】
ところで、二次電池では、充放電の回数等に依存して電池特性が劣化する、所謂サイクル劣化が起こることが知られている。そして、本発明の発明者等による検討により、二次電池は、二次電池の温度が高いときに充電を行うことによりサイクル寿命が短くなるといった特性を有することが確認された。また、二次電池は充電電圧が高いときにもサイクル寿命が短くなるといった特性を有することが確認された。すなわち、高温且つ高い充電電圧で充電を行うと、加速度的に二次電池の劣化の進行が早くなることが分かった。
【０００６】
本発明は、上記の事情に鑑みてなされたものであって、二次電池の劣化を抑制することが可能な携帯端末装置を提供することを目的とする。
【課題を解決するための手段】
【０００７】
本発明は、第１に、二次電池を電源として用いることが可能な携帯端末装置であって、動作制御の指示に基づいて前記携帯端末装置の動作を制御する演算処理部と、外部電源から前記二次電池に電源を供給する充電回路と、前記演算処理部における所定の処理の休止状態に応じて前記充電回路を制御する充電制御回路とを備える携帯端末装置が提供されるものである。
【０００８】
例えば、演算処理部が動作していないスリープモード時等では、携帯端末装置において発生する熱量が低いことが推測される。したがって、上記の構成により、演算処理部の動作状態に応じて充電回路を制御するので、携帯端末装置から二次電池に伝わる熱量に応じた制御が可能となり、二次電池の劣化を抑制することができる。
【０００９】
本発明は、第２に、上記第１に記載の携帯端末装置であって、前記充電制御回路は、前記演算処理部が前記所定の処理を第１の所定時間以上行っていないときは前記二次電池の充電電圧を第一の電圧に、前記所定の処理を行っている間又は前記所定の処理を行ってから第２の所定時間が経過していないときは前記二次電池の充電電圧を前記第一の電圧より低い第二の電圧に制御する。
【００１０】
この構成により、例えば、演算処理部が動作しているときに充電電圧を低く、演算処理部が所定時間以上動作していないときのみ充電電圧を高く制御することにより、二次電池の劣化を抑制することができる。
【００１１】
本発明は、第３に、二次電池を電源として用いることが可能な携帯端末装置であって、放送波を受信する放送波受信部と、外部電源から前記二次電池に電源を供給する充電回路と、前記放送波受信部の動作状態に応じて前記充電回路を制御する充電制御回路とを備える携帯端末装置が提供されるものである。
【００１２】
この構成により、テレビチューナ等の放送波受信部を有する携帯端末装置において、通常、放送波受信部が動作により発生する熱量は比較的大きい。したがって、上記の構成により、放送波受信部の動作状態に応じて充電回路を制御するので、携帯端末装置から二次電池に伝わる熱量に応じた制御が可能となり、二次電池の劣化を抑制することができる。
【００１３】
本発明は、第４に、上記第３に記載の携帯端末装置であって、前記充電制御回路は、前記放送波受信部が非動作状態のときは前記二次電池の充電電圧を第一の電圧に、前記放送波受信部が動作状態のときは前記二次電池の充電電圧を前記第一の電圧より低い第二の電圧に制御する。
【００１４】
この構成により、例えば、放送波受信部が動作していないときに充電電圧を高く、動作しているときに低く制御することにより、二次電池の劣化を抑制することができる。
【００１５】
本発明は、第５に、上記第２又は第４に記載の携帯端末装置であって、前記第二の電圧は、前記二次電池に充電される電気容量が予め定められた条件を満たす電圧である。
【００１６】
この構成により、充電電圧を下げた場合にも、二次電池に蓄えられる電気容量を予め定められた条件を満たすことが可能であるため、携帯端末装置の待ち受け時間等の性能を保証した充電を行うことができる。
【発明の効果】
【００１７】
本発明によれば、二次電池の劣化を抑制することが可能な携帯端末装置を提供することができる。
【図面の簡単な説明】
【００１８】
【図１】本発明の実施形態に係る携帯端末装置の概略構成を示すブロック図
【図２】本発明の実施形態に係る携帯端末装置の外観図
【図３】本発明の第１の実施形態に係る携帯端末装置の充電制御方法の手順を示すフローチャート
【図４】本発明の第２の実施形態に係る携帯端末装置の充電制御方法の手順を示すフローチャート
【図５】本発明の第３の実施形態に係る携帯端末装置の充電制御方法の手順を示すフローチャート
【発明を実施するための形態】
【００１９】
以下、本発明の第１〜第３の実施形態について説明する。始めに、第１〜第３の実施形態に係る携帯端末装置として、携帯電話装置を例に取ってその概略構成について説明する。
【００２０】
図１は本発明の実施形態に係る携帯端末装置の概略構成を示すブロック図である。また、図２は本発明の実施形態に係る携帯端末装置の外観図であり、図２（Ａ）は筐体部が開いた開状態を示す図、図２（Ｂ）は筐体部が閉じた閉状態を示す図である。
【００２１】
図１及び図２に示すように、本発明の実施形態の携帯端末装置１００は、第一の筐体１と、第二の筐体２と、第一の筐体１及び第二の筐体２を開閉可能に連結する連結部３と、表示部４と、スピーカ５とを備える。
【００２２】
また、携帯端末装置１００は、外部電源接続部６と、充電回路７と、二次電池８と、充電回路７を制御する充電制御回路９とを備える。更に、携帯端末装置１００は、開閉状態検出部１０と、操作部１１と、無線部１２と、テレビチューナ（以下、ＴＶチューナという）１３と、ＣＰＵ１４とを備える。
【００２３】
第一の筐体１、第二の筐体２及び連結部３は携帯端末装置１００の筐体部の一例として機能し、携帯端末装置１００は、図２（Ａ）に示すように開いている状態である開状態、及び図２（Ｂ）に示すように閉じている状態である閉状態を取り得ることができる。なお、図２では筐体部を折り畳む形式を図示したが、種々の開閉方式が用いられてもよい。例えば、本実施形態の折り畳み形式以外にスライド式や回転式がある。また、いわゆるストレート型といわれる筐体であっても、開閉式の蓋部を備えたものであれば本発明を適用することができる。
【００２４】
表示部４は、液晶表示装置等を有して構成され、使用者による操作や携帯端末装置１００の動作状態等に応じた表示を行う。スピーカ５は、使用者による操作やアラーム鳴動、携帯端末装置１００の動作状態等に応じて音声を出力する。
【００２５】
外部電源接続部６は、例えば商用交流電源から直流に変換するＡＣアダプタ等に接続するための接続端子を有して構成され、外部電源からの電源供給を受けるものである。充電回路７は、外部電源接続部６から供給された電源を二次電池８に供給するものであり、例えば、ドレイン端子・ソース端子に外部電源接続部６及び二次電池８が接続されるＰチャネルＭＯＳＦＥＴを有して構成される。二次電池８は、繰り返し充電して使用が可能な電池であり、例えば第一の筐体１に着脱可能に装着され、携帯端末装置１００の電源として用いられる。
【００２６】
充電制御回路９は、充電回路７を制御するものであり、充電電流検出回路９ａと、充電電圧検出回路９ｂと、充電電圧調整回路９ｃとを有する。充電電流検出回路９ａは、充電回路７と二次電池８との間に挿入された抵抗Ｒの両端の電位差から充電電流を検出する。充電電圧検出回路９ｂは、二次電池８の電圧を検出する。充電電圧調整回路９ｃは、充電電流検出回路９ａ若しくは充電電圧検出回路９ｂの検出結果、又はＣＰＵ１４からの指示に基づいて、充電回路７を制御する。例えば、上述した充電回路７に設けられたＰチャネルＭＯＳＦＥＴのゲート端子に加える電圧を制御することで、二次電池８に対して所望の充電電流又は充電電圧が得られるように制御する。
【００２７】
開閉状態検出部１０は、筐体部の開閉状態を検出する。開閉状態検出部１０は、例えば、図２に示すように第一の筐体１に設けられたホール素子１０ａと第二の筐体２に設けられた磁石１０ｂとを有して構成される。ホール素子１０ａは、筐体部の開閉状態に応じて変化する磁石１０ｂの磁界を電気信号に変換してＣＰＵ１４に出力する。
【００２８】
操作部１１は、使用者からの操作入力を受け付けるものであり、第一の筐体１の主面に設けられたテンキー１１ａやナビゲーションキー１１ｂ、第一の筐体１の主面と垂直な面である側面に設けられた側面キー１１ｃ等を有する。無線部１２は、例えば無線基地局と無線通信を行うものであり、音声通話やデータ通信等を行う。
【００２９】
ＴＶチューナ１３は放送波を受信する放送波受信部の一例として動作し、例えばデジタルテレビを受信するデジタルテレビチューナであり、中継アンテナ等から放送波を受信し、ＣＰＵ１４を介して表示部４やスピーカ５から受信したデータを出力する。
【００３０】
ＣＰＵ１４は、携帯端末装置１００全体の動作を制御する演算処理部の一例として機能するものであり、所定のプログラムによって動作するプロセッサを主体に構成される。また、充電電圧調整回路９ｃを制御する充電制御部１４ａと、時間を計時するタイマー１４ｂとを有する。
【００３１】
以下、第１〜第３の実施形態に係る充電制御方法について説明する。
【００３２】
（第１の実施形態）
開閉可能な筐体部を有する携帯端末装置では、開閉状態に応じて、携帯端末において行われる処理により発生する熱量が異なることが推測される。例えば、メール受発信、通話、ＴＶ受信などの処理では、メール受発信＜通話＜ＴＶ受信の順に発生する熱量が大きい。あるいは、ＴＶ受信の中でもアナログ放送とデジタル放送とでは、アナログ放送受信の際に発生する熱量の方が一般には大きいといえる。一方、デジタル放送受信と通話との関係では、通話の際の発生熱量がデジタル放送受信時に発生する熱量を上回ることも考えられる。そこで、第１の実施形態に係る充電制御方法では、充電制御回路９は、筐体部の開閉状態に応じて充電回路７を制御することにより、携帯端末装置１００から二次電池８に伝わる熱量に応じた充電電圧の制御を行う。
【００３３】
図３は、本発明の第１の実施形態に係る携帯端末装置の充電制御方法の手順を示すフローチャートである。
【００３４】
図３に示すように、充電制御回路９の充電電圧調整回路９ｃは、二次電池８に対する充電を開始する必要があるか否かを判定する（ステップＳ３０１）。例えば、外部電源接続部６に外部電源が接続されたことが検出された場合や、装着されている二次電池８における電圧が所定のしきい値以下になった場合に充電を開始すると判定する。充電を開始する必要がなければ（ステップＳ３０１のＮＯ）、処理を終了する。
【００３５】
次に、充電を開始する必要があれば（ステップＳ３０１のＹＥＳ）、充電電圧調整回路９ｃは、携帯端末装置１００の電源が入っているか否かを判定する（ステップＳ３０２）。携帯端末装置１００の電源が入っていれば（ステップＳ３０２のＹＥＳ）、充電電圧調整回路９ｃは、携帯端末装置１００の筐体部の開閉状態を判定する（ステップＳ３０３）。ステップＳ３０３において、ＣＰＵ１４の充電制御部１４ａが、開閉状態検出部１０からの検出結果を充電電圧調整回路９ｃに通知することにより、充電電圧調整回路９ｃは筐体部の開閉状態を判定する。
【００３６】
なお、閉状態とは、第一の筐体１のテンキー１１ａが設けられた面と、第二の筐体２の表示部４（複数の表示部が設けられているときは最も大きな面積を有する表示部）が設けられた面とが互いに向かい合って重畳した状態を指す。そして、開状態とは、閉状態にない状態を指す。
【００３７】
筐体部が閉状態にないとき、すなわち、開状態にあるとき（ステップＳ３０３のＮＯ）、充電電圧調整回路９ｃは充電回路７を制御し、二次電池８に対して、第一の充電電圧の一例である通常充電電圧（例えば４．３７Ｖ）より低い第二の充電電圧の一例である低充電電圧（例えば４．２Ｖ）で充電する（ステップＳ３０４）。無線部１２を用いた無線通信やアプリケーション処理動作等、携帯端末装置１００から発生する熱量が大きくなる処理は、主に筐体部が開状態にあるときに行われることが多い。そこで、筐体部が開状態にあるときに低充電電圧で充電することにより、二次電池８が高温かつ高充電電圧となる状況での充電を回避して、二次電池８の劣化を抑制することができる。
【００３８】
なお、上述のように通常充電電圧を４．３７Ｖとし、低充電電圧を４．２Ｖとした理由は次の通りである。すなわち、充電完了時の電源容量は、一般的に印加電圧によって決まるが、低充電電圧を限りなく低くしてしまうと十分な電源容量が確保されないこととなるので、具体的な要求性能に合致した「最低限の低充電電圧」を決定する必要がある。本実施形態では、低充電電圧による充電完了後であっても、電源ＯＮ状態での連続待ち受け時間が例えば５００時間必要であるという具体的な要求性能に鑑みて、かかる性能を発揮するために最低限印加する必要のある充電電圧として４．２Ｖ、というように低充電電圧を決定した。このように、低充電電圧であれば、際限なく低くすればよいというものではなく、携帯電話として要求されている要求仕様を満たすために必要な充電電圧を印加する必要がある。
【００３９】
一方、携帯端末装置１００の電源が入っていないとき（ステップＳ３０２のＮＯ）、又は筐体部が閉状態にあるとき（ステップＳ３０３のＹＥＳ）、充電電圧調整回路９ｃは、充電回路７を制御し、二次電池８に対して通常充電電圧で充電する。
【００４０】
その後、充電電圧調整回路９ｃは、二次電池８が満充電となったか否かの判定等、充電終了の判定を行い（ステップＳ３０６）、充電を継続する場合（ステップＳ３０６のＮＯ）はステップＳ３０２へ戻り、充電を終了する場合（ステップＳ３０６のＹＥＳ）は処理を終了する。
【００４１】
このような本発明の第１の実施形態によれば、発熱量が大きい処理は主に筐体部が開いているときに行われるので、閉状態のときには充電電圧を高く、開状態のときには充電電圧を低く制御することにより、二次電池８が高温かつ高充電電圧となる状況での充電を回避して二次電池８の劣化を抑制することができる。
【００４２】
（第２の実施形態）
携帯端末装置１００において、ＣＰＵ１４の処理が休止しているときには、発生する熱量が低いことが推測される。そこで、第２の実施形態に係る充電制御方法では、充電制御回路９は、ＣＰＵ１４における処理の休止状態に応じて充電回路７を制御することにより、携帯端末装置１００から二次電池８に伝わる熱量に応じた充電電圧の制御を行う。
【００４３】
図４は、本発明の第２の実施形態に係る携帯端末装置の充電制御方法の手順を示すフローチャートである。図４において、第１の実施形態で説明した図３と重複する部分には同一の符号を付す。ここで、ステップＳ３０１，Ｓ３０２，Ｓ３０５，Ｓ３０６における動作は第１の実施形態と同様であるので、説明を省略する。
【００４４】
図４に示すように、二次電池８に充電を行う必要があり（ステップＳ３０１のＹＥＳ）、携帯端末装置１００の電源が入っている場合（ステップＳ３０２のＹＥＳ）、ＣＰＵ１４は、タイマー１４ｂのカウントをスタートする。このタイマー１４ｂは、携帯端末装置１００をスリープモードに設定するための判定に用いられ、ＣＰＵ１４に対してイベントが発生していない時間を計り、所定の制限時間をタイムアウト時間として設定されている。なお、スリープモードとは、ＣＰＵ１４が上記のタイムアウト時間、イベントが発生しないことにより所定の処理を行わない場合に、表示部４の点灯を休止する等、予め定められた動作を休止することにより、消費電力を低減する動作モードである。
【００４５】
なお、タイマー１４ｂは、複数の時間の管理が可能であって、第１の所定時間の一例であるスリープモード移行までの時間と、第２の所定時間の一例であるイベント発生（あるいは終了）後の所定時間とを独立に計測することも可能である。そうすることによって、通常充電電圧及び低充電電圧の切り替えを、よりきめ細やかに行うことが可能となっている。
【００４６】
次に、ＣＰＵ１４は、操作部１１からの操作入力や、無線部１２からの着信処理、ＴＶチューナ１３からの受信データ表示処理等、イベントの要求があるか否かを判定する（ステップＳ４０２）。
【００４７】
イベントの要求があれば（ステップＳ４０２のＹＥＳ）、ＣＰＵ１４は、充電電圧調整回路９ｃにイベント発生を通知し、充電電圧調整回路９ｃは充電回路７を制御して二次電池８に対して低充電電圧で充電する（ステップＳ４０３）。ＣＰＵ１４においてイベントが要求されたと判定された場合、ＣＰＵ１４に要求されたイベントに応じたアプリケーション処理を行う必要があるので、携帯端末装置１００にはアプリケーション処理に起因した熱量が発生する。したがって、低充電電圧で充電することにより、二次電池８が高温かつ高充電電圧となる状況での充電を回避して、二次電池８の劣化を抑制することができる。
【００４８】
そして、ＣＰＵ１４はタイマー１４ｂをリセットし（ステップＳ４０４）、要求されたイベントに応じたアプリケーション処理を行う（ステップＳ４０５）。アプリケーションが終了していなければ（ステップＳ４１４のＮＯ）、ＣＰＵ１４は、ステップＳ４０５に戻り、アプリケーション処理を継続する。アプリケーションが終了すると（ステップＳ４１４のＹＥＳ）、充電を継続する場合（ステップＳ４０６のＮＯ）はステップＳ４０１へ戻り、充電を終了する場合（ステップＳ４０６のＹＥＳ）は処理を終了する。なお、ステップＳ４１４において、アプリケーション終了が判定された場合に、タイマー１４ｂを用いてアプリケーション終了からの経過時間を計測し、予め指定された時間が経過してから次のステップＳ４０６に進んでもよい。
【００４９】
一方、イベントの要求がなければ（ステップＳ４０２のＮＯ）、充電電圧調整回路９ｃは充電回路７を制御して二次電池８に対して通常充電電圧で充電する（ステップＳ４０７）。ＣＰＵ１４においてイベントが要求されていないと判定された場合には、携帯端末装置１００から発生する熱量が大きくなる処理が行われないと推測されるので、通常充電電圧で充電することにより、二次電池８に充電される電気容量を低下させずに充電することができる。
【００５０】
次に、ＣＰＵ１４はタイマー１４ｂがタイムアウトしたか否かを判定し（ステップＳ４０８）、タイムアウトしていなければ（ステップＳ４０８のＮＯ）、タイマー１４ｂをカウントアップして（ステップＳ４０９）、ステップＳ４０２に戻る。
【００５１】
一方、タイマー１４ｂがタイムアウトしていれば（ステップＳ４０８のＹＥＳ）、ＣＰＵ１４は、表示部４の点灯をオフに設定する等の処理を行い、スリープモード４１０に移行し（ステップＳ４１０）、充電を終了する場合（ステップＳ４１１のＹＥＳ）は処理を終了する。
【００５２】
また、充電を継続する場合（ステップＳ４１１のＮＯ）、イベント要求が発生していなければ（ステップＳ４１２のＮＯ）、ステップＳ４１１へ戻る。イベント要求が発生した場合（ステップＳ４１２のＹＥＳ）、ＣＰＵ１４は、スリープモードを解除し（ステップＳ４１３）、ステップＳ４０３に進み、充電電圧を低充電電圧に設定する。
【００５３】
このような本発明の第２の実施形態によれば、発熱量が大きい処理は主にＣＰＵ１４にイベントが発生しているときに行われるので、イベント発生状態のときには充電電圧を低く、イベント非発生状態のときには充電電圧を高く制御することにより、二次電池８が高温かつ高充電電圧となる状況での充電を回避して二次電池８の劣化を抑制することができる。
【００５４】
なお、通常充電電圧で充電する手順（ステップＳ４０７）を、スリープモード設定（ステップＳ４１０）の後に実行することで、スリープモード時のみ、通常充電電圧で充電してもよい。
【００５５】
（第３の実施形態）
ＴＶチューナ１３を搭載している携帯端末装置１００では、ＴＶチューナ１３が動作しているときに大きい熱量が発生することが推測される。そこで、第３の実施形態に係る充電制御方法では、充電制御回路９は、ＴＶチューナ１３の動作状態に応じて充電回路７を制御することにより、携帯端末装置１００から二次電池８に伝わる熱量に応じた充電電圧の制御を行う。
【００５６】
図５は、本発明の第３の実施形態に係る携帯端末装置の充電制御方法の手順を示すフローチャートである。図５において、第１の実施形態で説明した図３と重複する部分には同一の符号を付す。ここで、ステップＳ３０１，Ｓ３０２における動作は第１の実施形態と同様であるので、説明を省略する。
【００５７】
図５に示すように、二次電池８に充電を行う必要があり（ステップＳ３０１のＹＥＳ）、携帯端末装置１００の電源が入っている場合（ステップＳ３０２のＹＥＳ）、ＣＰＵ１４は、ＴＶチューナ１３の動作状態を判定する（ステップＳ５０１）。ＣＰＵ１４は、例えば操作部１１や予約タイマー設定によりＴＶチューナ１３の起動指示が入力されてからＴＶチューナ１３の停止指示が入力されるまでの間をＴＶチューナＯＮとして判定する。
【００５８】
ＴＶチューナ１３が動作状態にあるとき（ステップＳ５０１のＹＥＳ）、充電電圧調整回路９ｃは充電回路７を制御し、二次電池８に対して低充電電圧で充電する（ステップＳ５０２）。ＴＶチューナ１３の動作は、携帯端末装置１００から発生する熱量が大きくなる処理であるので、低充電電圧で充電することにより、二次電池８が高温かつ高充電電圧となる状況での充電を回避して、二次電池８の劣化を抑制することができる。
【００５９】
一方、携帯端末装置１００の電源が入っていないとき（ステップＳ３０２のＮＯ）、又はＴＶチューナ１３が非動作状態にあるとき（ステップＳ５０１のＮＯ）、充電電圧調整回路９ｃは、充電回路７を制御し、二次電池８に対して通常充電電圧で充電する（ステップＳ５０３）。
【００６０】
その後、充電電圧調整回路９ｃは、充電を継続する場合（ステップＳ５０４のＮＯ）はステップＳ３０２へ戻り、充電を終了する場合（ステップＳ５０４のＹＥＳ）は処理を終了する。
【００６１】
このような本発明の第３の実施形態によれば、ＴＶチューナ１３が非動作状態のときには充電電圧を高く、発熱量が大きい動作状態のときには充電電圧を低く制御することにより、二次電池８が高温かつ高充電電圧となる状況での充電を回避して二次電池８の劣化を抑制することができる。
【００６２】
なお、上述の第１ないし第３の実施形態において、通常充電電圧は、携帯端末装置１００に装着される二次電池８が保証する充電電圧の最大値又は最大値に近い値であることが望ましい。また、低充電電圧は、二次電池８に充電される電気容量が、予め定められた条件である、待ち受け時間、通話時間、テレビ視聴時間等を遵守可能となる電圧であることが望ましい。これにより、二次電池８の劣化を抑制するとともに、携帯端末装置１００の待ち受け時間等の性能を保証した充電電圧の制御を行うことができる。
【産業上の利用可能性】
【００６３】
本発明の携帯端末装置は、二次電池の劣化を抑制することが可能な効果を有し、携帯電話装置等に有用である。
【符号の説明】
【００６４】
１  第一の筐体
２  第二の筐体
３  連結部
４  表示部
５  スピーカ
６  外部電源接続部
７  充電回路
８  二次電池
９  充電制御回路
９ａ  充電電流検出回路
９ｂ  充電電圧検出回路
９ｃ  充電電圧調整回路
１０  開閉状態検出部
１０ａ  ホール素子
１０ｂ  磁石
１１  操作部
１１ａ  テンキー
１１ｂ  ナビゲーションキー
１１ｃ  側面キー
１２  無線部
１３  ＴＶチューナ
１４  ＣＰＵ
１４ａ  充電制御部
１４ｂ  タイマー
１００  携帯端末装置
Ｒ  抵抗
【図１】
0004522482.tif 000002
【図２】
0004522482.tif 000003
【図３】
0004522482.tif 000004
【図４】
0004522482.tif 000005
【図５】
0004522482.tif 000006